(57)【要約】【課題】簡素な構成で隣接画素からの横電界による配向異常の発生領域を軽減させ、表示品位の高い液晶表示装置を実現する。【解決手段】本開示に係る液晶表示装置は、相互に対向して配置された第１及び第２の基板と、前記第１及び第２の基板の間に封入された垂直配向型の液晶層と、前記第１の基板上の前記液晶層側に設けられた画素電極と、前記画素電極の前記液晶層側を覆うように設けられ、所定の配向規制方向を有する配向膜と、隣接する前記画素電極間の領域の下層に設けられ、１の前記画素電極の各辺に設定される当該画素電極の中心を向く法線方向と前記配向膜の前記配向規制方向とが９０度以上異なる辺に沿って設けられ、当該画素電極と同電位に設定される表面遮光層と、を備える。【選択図】図２
2014041243.tif 000002
【特許請求の範囲】
【請求項１】
相互に対向して配置された第１及び第２の基板と、
前記第１及び第２の基板の間に封入された垂直配向型の液晶層と、
前記第１の基板上の前記液晶層側に設けられた画素電極と、
前記画素電極の前記液晶層側を覆うように設けられ、所定の配向規制方向を有する配向膜と、
隣接する前記画素電極間の領域の下層に設けられ、１の前記画素電極の各辺に設定される当該画素電極の中心を向く法線方向と前記配向膜の前記配向規制方向とが９０度以上異なる辺に沿って設けられ、当該画素電極と同電位に設定される表面遮光層と、
を備える、液晶表示装置。
【請求項２】
前記表面遮光層は、前記法線方向と前記配向規制方向とが９０度以上異なる２辺に沿ってＬ字状に設けられる、請求項１に記載の液晶表示装置。
【請求項３】
赤色、緑色、青色のそれぞれに対応する請求項１又は２に記載の液晶表示装置を有する、液晶プロジェクター。
【発明の詳細な説明】
【技術分野】
【０００１】
本開示は、液晶表示装置及び液晶プロジェクターに関する。
【背景技術】
【０００２】
従来、例えば下記の特許文献１には、一般的な投影型及び反射型の液晶表示装置について記載されている。また、下記の特許文献２には、ＴＮ−ＬＣＤにおいて、画素電極下層に補償電極を設置し、対向共通電極との間に縦電界発生させることで、隣接画素電極間の横電界に起因したドメインを改善することを想定した技術が記載されている。
【先行技術文献】
【特許文献】
【０００３】
【特許文献１】特開２００５−２７４６６５号公報
【特許文献２】特開平７−３０１８１４号公報
【発明の概要】
【発明が解決しようとする課題】
【０００４】
垂直配向型（ＶＡ方式）の液晶ディスプレイにおいては、横方向（面内方向の）の液晶配向規制力が小さい。このため、垂直配向型の液晶ディスプレイにおいては、異なる電位が印加された隣接画素間における横電位差によって、配向方位が意図した角度からずれることで、ディスクリネーションが発生する問題がある。
【０００５】
特許文献２に記載された技術は、ＴＮ配向に関するものであり、垂直配向型（ＶＡ）の液晶ディスプレイへの適用は想定していない。また、特許文献２に記載された技術は、補償電極を設置する必要があり、そのためにスペースが増大したり、製造コストが増大するという問題が生じる。
【０００６】
そこで、簡素な構成で隣接画素からの横電界による配向異常の発生領域を軽減させ、表示品位の高い表示を実現することが求められていた。
【課題を解決するための手段】
【０００７】
本開示によれば、相互に対向して配置された第１及び第２の基板と、前記第１及び第２の基板の間に封入された垂直配向型の液晶層と、前記第１の基板上の前記液晶層側に設けられた複数の画素電極と、前記画素電極の前記液晶層側を覆うように設けられ、所定の配向規制方向を有する配向膜と、隣接する前記画素電極間の領域の下層に設けられ、１の前記画素電極の各辺に設定される当該画素電極の中心を向く法線方向と前記配向膜の前記配向規制方向とが９０度以上異なる辺に沿って設けられ、当該画素電極と同電位に設定される表面遮光層と、を備える、液晶表示装置が提供される。
【０００８】
また、前記表面遮光層は、前記法線方向と前記配向規制方向とが９０度以上異なる２辺に沿ってＬ字状に設けられるものであっても良い。
【０００９】
また、本開示によれば、赤色、緑色、青色のそれぞれに対応する上記の液晶表示装置を有する、液晶プロジェクターが提供される。
【発明の効果】
【００１０】
本開示によれば、簡素な構成で隣接画素からの横電界による配向異常の発生領域を軽減させ、表示品位の高い表示を実現することが可能となる。
【図面の簡単な説明】
【００１１】
【図１】本開示の一実施形態に係る液晶表示装置の構成を示す概略断面図である。
【図２】画素電極及び表面遮光層の構成を示す平面図、断面図、及び電界分布を示す図である。
【図３】図２に示した構造における、３次元液晶配向シミュレーターを用いた配向異常のシミュレーション結果を示す模式図である。
【図４】図３（Ａ）及び図３（Ｂ）に示す隣接画素間部Ａと輝度最暗部Ｂを結ぶ破線に沿った断面における透過率を示す特性図である。
【図５】発生するディスクリネーションラインに沿って表面遮光層を配置した状態を示す模式図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．前提となる技術
２．液晶表示装置の構成例
３．表面遮光層の配置例
４．配向異常のシミュレーション結果
【００１４】
［１．前提となる技術］
アクティブマトリクス駆動方式の液晶表示装置においては、ライン毎に書き込みの極性を反転する１Ｈ反転駆動や、１フィールドで同極性の画像信号が書き込まれる１Ｆ反転駆動等が行われている。このうち１Ｆ反転駆動は、全ての画素電極に同符号の電圧が掛かるため、画素電極間における横電界の影響が取り除かれ、ディスクリネーション（液晶配向異常）に起因する透過率の低下や光漏れを改善できることが知られている。
【００１５】
しかしながら、１Ｆ反転駆動を採用した場合であっても、隣接画素が自画素と異なる電位の場合、その電位差で発生する横電界により、部分的に液晶配向異常が生じる場合がある。特に、プロジェクターに用いられるマイクロＬＣＤ等の画素サイズが小さい液晶表示装置においては、１画素に占める液晶配向異常領域の割合が大きいため、その影響が大きい。
【００１６】
更に、垂直配向型（ＶＡ方式）の液晶ディスプレイにおいては、横方向（面内方向の）の液晶配向規制力が小さい。このため、垂直配向型の液晶ディスプレイにおいては、異なる電位が印加された隣接画素間における横電位差によって、配向方位が意図した角度からずれることで、ディスクリネーションが発生する問題がある。このようなディスクリネーションによって、画素間の境界に黒い線が入り、文字などが実際よりも太く表示される要因となる。
【００１７】
また、Ｇ（緑）、Ｒ（赤）、Ｂ（青）用の計３枚のパネルを組み合せた３板方式では、左蒸着品、右蒸着品を３枚のパネルの中で混在させることによって、視野角の均一化を達成している。しかしながら、ディスクリネーションによって配向異常が発生すると、左蒸着品及び右蒸着品間のレベル差異による、市松パターン投射時の面ザラ感の発生、３板ストライプ表示時の色付き症状の発生の要因となる。この傾向は、特に高精細のデバイス、狭ピッチのデバイスにおいては顕著に表れる。
【００１８】
同様に、プロジェクターに用いられる液晶表示装置においては、Ｇ、Ｒ、Ｂ用の計３枚のパネルを組み合せた３板方式が一般的であり、この際、配向規制方向の異なるパネルを組み合わせることで視野角の均一性を向上させる手法が知られている。しかしながら、配向規制方向の異なるパネル間で配向異常領域が生じると、そのレベル差により、投射時の画像や文字のエッジ部に不要な色付きなどが発生することが問題となる。
【００１９】
そこで、隣接画素からの横電界による配向異常に対し、画素電位を有する画素電極直下の表面遮光層（ＩＴＯ電極下層のメタルレイヤー）のレイアウトを最適化することにより、配向異常の発生領域を軽減させ、表示品位の高い液晶表示装置を実現することが求められていた。
【００２０】
［２．液晶表示装置の構成例］
まず、図１を参照して、本開示の第１の実施形態に係る液晶表示装置１００の構成について説明する。図１は、液晶表示装置１００の構成を示す概略断面図である。図１に示すように、液晶表示装置１００は、下層から順に下基板（ＴＦＴ基板）１０２、表面遮光層１０４、画素電極１０６、配向膜１０８、液晶層１１０、配向膜１１２、対向電極（共通電極）１１４、上基板（対向基板）１１６を有して構成されている。
【００２１】
本実施形態に係る液晶表示装置１００は、一例として、ＨＴＰＳ（Ｈｉｇｈ  Ｔｅｍｐｅｒａｔｕｒｅ  Ｐｏｌｙ−Ｓｉｌｉｃｏｎ）によるものであり、ＶＡ方式で駆動されるものである。また、液晶表示装置１００は、特許文献１に記載されているような反射型液晶表示素子及び透過型液晶表示素子の双方に適用可能なものである。
【００２２】
図１に示すように、液晶表示装置１００は、対向する一対の基板（ＴＦＴ基板１０２及び対向基板１１６）の間に液晶（誘電異方性が負）が封入され、この封入された液晶により光変調層としての液晶層１１０が構成されている。
【００２３】
ＴＦＴ基板１０２は、石英、ガラス、プラスチック等の透光性材料からなり、ＴＦＴ基板１０２よりも液晶層１１０側の内面側には、表面遮光層１０４及び画素電極１０６が形成されている。表面遮光層１０４及び画素電極１０６は、複数個がマトリクス状に配列されて形成されている。画素電極１０６は、ＩＴＯ等の透明導電膜からなり、平面形状が略正方形に構成されている。
【００２４】
画素電極１０６を覆うように、配向膜１０８が形成されている。配向膜１０８は、ＳｉＯ２斜方蒸着法によって形成された垂直配向膜である。なお、本実施形態では、ＴＦＴ基板１０２は、ＴＦＴ（Ｔｈｉｎ  Ｆｉｌｍ  Ｔｒａｎｓｉｓｔｏｒ）等のスイッチング素子や、データ線、走査線等の各種配線が形成されたＴＦＴアレイ基板として構成されているが、図１では、それらの素子及び配線の図示を省略している。
【００２５】
一方、対向基板１１６よりも液晶層１１０側の内面側には、ＩＴＯ等の透明導電膜からなる対向電極（共通電極）１１４が形成されている。対向基板１１６は、石英、ガラス、プラスチック等の透光性材料からなる。そして、対向電極１１４の液晶層１１０側には、対向電極１１４を覆うように配向膜１１２が形成されている。配向膜１１２は、ＳｉＯ２斜方蒸着法によって形成された垂直配向膜である。
【００２６】
配向膜１０８と配向膜１１２は、液晶層１１０の液晶の配列方向を制御するものである。配向膜１０８と配向膜１１２は、ＳｉＯ２斜方蒸着法によって形成された垂直配向膜であり、それぞれ一軸方向の配向規制力が付与されており、それぞれの配向規制方向は互いにアンチパラレルとなっている。
【００２７】
また、本実施形態に係る液晶表示プロジェクターは、Ｒ（赤色），Ｇ（緑色），Ｂ（青色）に対応する３枚の上記の液晶表示装置１００を有し、各色の液晶表示装置１００からそれぞれの色に応じた投影をスクリーン等に対して行うものである。
【００２８】
［３．表面遮光層の配置例］
図２は、画素電極１０６及び表面遮光層１０４の構成を示す平面図、断面図、及び電界分布を示す図である。ここで、図２（Ａ）は、本実施形態による対策前の構成を比較例として示している。また、図２（Ｂ）は、本実施形態による対策後の構成を示している。図２（Ａ）及び図２（Ｂ）に示す断面図は、隣接する画素電極間の境界領域部分の断面図を示している。なお、図２の平面図では、図示の便宜上、画素電極１０６ａと表面遮光膜１０４、及び画素電極１０６ｂと表面遮光膜１０４はオーバーラップしていないが、図２の断面図、又は後述の図５に示すように、画素電極１０６ａと表面遮光膜１０４、及び画素電極１０６ｂと表面遮光膜１０４はオーバーラップしているものである。
【００２９】
図２の平面図に示すように、方位角として、右向き水平方向が０度、反時計回りに上向きが９０度と定義する。配向膜１０８は、４５度方位(図２においては右上方向)、配向膜１１２は２２５度方位(図２においては左下方向)が配向規制方向である。
【００３０】
図２において、任意の１画素の画素電極１０６ａに注目すると、４辺ある画素電極１０６ａの画素エッジ部１０７の自画素の中心を向く法線方向は、画素電極１０６ａの左辺、下辺、右辺、上辺でそれぞれ０度、９０度、１８０度、２７０度であり、この方向は画素エッジ部１０６ａの電界歪みが及ぼす配向規制力方向であり、また、隣接画素の電位が小さい場合に隣接する画素電位が及ぼす配向規制力方向である。従って、画素電極１０６ａに隣接する画素電極１０６ｂの電位が小さい場合は、画素電極１０６ａの右辺の法線方向（１８０度）に配向規制力が生じることになる。
【００３１】
ここで、それぞれの画素エッジ部１０７の各辺の配向規制方向と、画素電極１０６を覆う配向膜１０８に付与された配向規制方向が異なるほど、画素エッジ部１０７に異常配向が発生し易くなる。特に、画素エッジ部１０７の配向規制方向と、配向膜１０８に付与された配向規制方向が９０度以上異なる場合は、画素エッジ部１０７に発生する異常配向が顕著になる。
【００３２】
図２（Ａ）及び図２（Ｂ）では、画素電極１０６ａの右辺の配向規制方向と配向膜１０８の配向規制方向とが９０度以上大きく異なっている。同様に、画素電極１０６ａの上辺の配向規制方向と配向膜１０８の配向規制方向とが９０度以上大きく異なっている。従って、画素電極１０６ａに対して右側に位置する画素電極（画素電極１０６ｂ）または上側に位置する画素電極の電位が画素電極１０６ａの電位よりも低い場合、画素電極１０６ａの右辺又は上辺の画素エッジ部１０７に発生する異常配向が顕著になる。同様に、画素電極１０６ａに対して上側に位置する画素電極の電位が画素電極１０６ａの電位よりも低い場合、画素電極１０６ａの上辺の画素エッジ部１０７に発生する異常配向が顕著になる。
【００３３】
一方、画素電極１０６ａに対して左側又は下側に隣接する画素電極１０６の電位が小さい場合、画素電極１０６ａの左辺又は下辺の配向規制方向と配向膜１０８の配向規制方向とは９０度以下となる。従って、画素電極１０６ａの左辺又は下辺の画素エッジ部１０７には大きな配向異常は生じない。
【００３４】
この異常配向の発生要因をより詳細に分析するため、電界シミュレーターを用いて、画素電極１０６間の電位差影響に加え、表面遮光層１０４のレイアウト影響を詳細に検討した。なお、表面遮光層１０４においては、画素電極１０６と同様の画素電位を有しているものとした。以下では、画素電極１０６ａの右辺の画素エッジ部１０７における配向異常を中心に説明する。
【００３５】
図２（Ａ）の平面図及び断面図は、隣接する画素電極１０６ａと画素電極１０６ｂとの間の領域の直下部に位置する表面遮光層１０４に、低電位側の画素電位が供給されている構造を示している。より詳細には、画素電極１０６ａは高電位、画素電極１０６ｂは低電位とされ、画素電極１０６ａ及び画素電極１０６ｂ間の直下の表面遮光層１０４が画素電極１０６ｂと同じ低電位とされた構造を示している。また、図２（Ａ）の電界分布のシミュレーション結果は、画素電極１０６ａと画素電極１０６ｂの境界近傍を含む領域の画素電位近傍の電界分布のシミュレーション結果を示している。
【００３６】
また、図２（Ｂ）の平面図及び断面図は、隣接する画素電極１０６ａと画素電極１０６ｂとの間の領域の直下部に位置する表面遮光層１０４に高電位側の画素電位が供給されている構造を示している。より詳細には、画素電極１０６ａは高電位、画素電極１０６ｂは低電位とされ、画素電極１０６ａ及び画素電極１０６ｂ間の直下の表面遮光層１０４が画素電極１０６ａと同じ高電位とされた構造を示している。また、図２（Ｂ）の電界分布のシミュレーション結果は、画素電極１０６ａと画素電極１０６ｂの境界近傍を含む領域の電界分布のシミュレーション結果を示している。
【００３７】
図２に示すように、隣接する画素電極１０６ａ，１０ｂ間の領域の直下部に位置する表面遮光層１０４に高電位側の画素電位が供給されている場合（図２（Ｂ））は、表面遮光層１０４に低電位側の画素電位が印加されている場合（図２（Ａ））と比較すると、配向異常の要因となる電界分布が変動することが判明した。より詳細には、表面遮光層１０４に高電位側の画素電位を印加した図２（Ｂ）の場合、ディスクリネーション（液晶配向の乱れ）の発生起点が図２（Ａ）よりも右側へ移動している。従って、画素電極１０６ａ，１０６ｂ間の領域の直下部に位置する表面遮光層１０４の電位に応じて、液晶層１１０における隣接する画素電極１０６ａ，１０６ｂ間の電位境界（ドメイン発生起点）を変動させることが可能である。
【００３８】
［４．配向異常のシミュレーション結果］
図３は、図２に示した構造における、３次元液晶配向シミュレーターを用いた配向異常のシミュレーション結果を示す模式図である。ここで、図３（Ａ）は、図２（Ａ）の平面図に対応したシミュレーション結果を示している。また、図３（Ｂ）は、図２（Ｂ）の平面図に対応したシミュレーション結果を示している。図３（Ａ）及び図３（Ｂ）において、白い部分は発光輝度が高い領域を示しており、黒い部分は発光輝度が低い領域を示している。図２（Ａ）及び図２（Ｂ）と同様に、図３（Ａ）及び図３（Ｂ）は、画素電極１０６ａを高電位とし、画素電極１０６ｂを低電位とした場合のシミュレーション結果を示している。
【００３９】
隣接する画素電極１０６ａ，１０６ｂ間の表面遮光層１０４に高電位を印加した図２（Ｂ）の場合、図３（Ｂ）に示すように、図３（Ａ）と比べてドメイン発生地点（黒い線の領域）がより右側へ移動している。従って、図２（Ｂ）のように画素電極１０６ａ，１０６ｂ間の表面遮光層１０４に高電位を印加することによって、ドメイン発生地点が画素電極１０６ａの画素エッジ部１０７により近くなるため、ドメイン発生による画像の劣化を確実に抑えることが可能である。
【００４０】
図４は、図３（Ａ）及び図３（Ｂ）に示す隣接画素間部Ａと輝度最暗部Ｂを結ぶ破線に沿った断面における透過率を示す特性図であって、実線の特性は図３（Ａ）に対応し、破線の特性は図３（Ｂ）に対応している。
【００４１】
図４に示すように、隣接画素間部Ａから配向異常による輝度最暗部Ｂまでの距離Ｄを定量化指標として、図３（Ａ）及び図３（Ｂ）内の破線に沿った断面の透過率プロファイルより、シミュレーションを行った。これによると、図４中に実線で示す図２（Ｂ）の特性においては、図４中に破線で示す図２（Ａ）の特性と比較して、約０．４２ｕｍの配向異常領域の軽減が確認できた。これは、表面遮光層１０４に印加する電位による電界分布の変動により、配向異常の発生起点となる電位境界が、より表面遮光層１０４の領域に近づいたことによるものである。
【００４２】
以上説明したように、任意の１画素（画素電極１０６ａ）において、隣接する画素電極１０６の電位が小さい場合、各４辺の画素エッジ部１０６ａにおける配向規制方向は、左辺、下辺、右辺、上辺でそれぞれ０、９０度、１８０度、２７０度である。この配向規制方向と、画素電極１０６を覆う配向膜１０８に付与された配向規制方向がそれぞれ９０度以上異なる辺に沿って、隣接する画素電極１０６間の領域の直下部に位置する表面遮光層１０４に画素電極１０６ａと同等の電位を供給することで、異常配向の領域を大幅に低減することが可能となる。
【００４３】
換言すれば、画素内にて、配向膜１０８の蒸着方位に依存した方向に発生するディスクリネーションラインに沿う形で、白表示電位が印加されたＩＴＯ電極下層のメタルレイヤー（表面遮光層１０４）を配置する。これにより、異なる電位が印加された隣接画素間の横電界状態に変化が生じ、等電位境界が白表示画素（画素電極１０６ａ）から黒表示画素（画素電極１０６ｂ）側へより離れた状態となるため、ディスクリネーションラインの視認性を大幅に改善することができる。
【００４４】
また、蒸着方位に応じて、表面遮光層１０４のレイアウトを最適化（反転）させることで、蒸着方位に応じてディスクリネーションを改善することができる。図２（Ｂ）に示す平面構成は、配向膜１０８の配向規制方向が４５度の場合の右蒸着の例を示しており、この場合は、表面遮光膜１０４を図２（Ｂ）に示す平面構成の形状に配置し、中心の対応する画素電極１０６ａと同じ高電位にすることでディスクリネーションを改善することができる。一方、配向膜１０８の配向規制方向が１３５度の場合は、表面遮光膜１０４を図２（Ａ）に示す左蒸着の構成とし、表面遮光膜１０４の電位を中心の対応する画素電極１０６ａと同じ高電位にすることで、ディスクリネーションを改善することが可能である。これにより、Ｇ、Ｒ、Ｂ用の計３枚のパネルを組み合せた３板方式においても、左右蒸着品間のディスクリネーションラインのレベル差異が改善され、市松パターンの面ザラ感や、３板ストライプへの色付きの改善を達成することができる。
【００４５】
従って、画素電極１０６ａの上辺と左辺の画素エッジ部１０７にディスクリネーションラインが発生する場合（配向膜１０８の配向規制方向が１３５度の場合）は、図５（Ａ）に示すように左蒸着の配置とし、画素電極１０６ａの上辺と左辺の画素エッジ部１０７に沿って表面遮光層１０４を配置する。一方、画素電極１０６ａの右辺と上辺の画素エッジ部１０７にディスクリネーションラインが発生する場合は、図５（Ｂ）及び図２（Ｂ）に示すように右蒸着の配置とし、画素電極１０６ａの右辺と上辺の画素エッジ部１０７に沿って表面遮光層１０４を配置する。このように、発生するディスクリネーションラインに沿って表面遮光層１０４を配置し、中心の画素電極１０６ａと同じ電位に設定することで、ディスクリネーションを大幅に改善することが可能である。
【００４６】
また、プロジェクター用途における液晶表示装置においては、本実施形態の手法を利用し、異なる配向規制方向のパネルにおいて、それぞれ表面遮光層１０４のレイアウトを個別に最適化することで、投射時の画像や文字のエッジ部に不要な色付きが発生する症状を改善することが可能となる。
【００４７】
本実施形態の適用により、隣接する画素電極１０６ｂからの横電界による配向異常の発生領域を軽減させることができるため、表示品位の高い液晶表示装置を実現することができる。また、本実施形態による配向異常の軽減に伴って、プレチルト設計の自由度が向上し、高ＣＲ化、チルト低減等を実現することが可能である。
【００４８】
なお、本実施形態は上述した例に限定されるものではなく、本実施形態の原理に基づき、種々の変更、改良、組み合わせが可能である。本実施形態は、様々な形状の画素電極１０６を有するＴＶや携帯型表示端末に用いられる大型、中型の液晶表示装置への適用が可能であり、また、反射型液晶表示装置においても、同一原理での適用、最適化が可能なものである。
【００４９】
以上説明したように本実施形態によれば、画素電極１０６の各辺の画素エッジ部１０７の配向規制方向と、画素電極１０６を覆う配向膜１０８に付与された配向規制方向とが大きく異なる辺に沿って、隣接する画素電極１０６間の領域の直下部に位置する表面遮光層１０４に画素電極１０６と同等の電位を供給することで、異常配向の領域を大幅に低減することが可能となる。従って、画像や文字のエッジ部に不要な色付きが発生する症状を最小限に抑えることが可能となる。
【００５０】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００５１】
なお、以下のような構成も本開示の技術的範囲に属する。
（１）相互に対向して配置された第１及び第２の基板と、
前記第１及び第２の基板の間に封入された垂直配向型の液晶層と、
前記第１の基板上の前記液晶層側に設けられた複数の画素電極と、
前記画素電極の前記液晶層側を覆うように設けられ、所定の配向規制方向を有する配向膜と、
隣接する前記画素電極間の領域の下層に設けられ、１の前記画素電極の各辺に設定される当該画素電極の中心を向く法線方向と前記配向膜の前記配向規制方向とが９０度以上異なる辺に沿って設けられ、当該画素電極と同電位に設定される表面遮光層と、
を備える、液晶表示装置。
（２）前記表面遮光層は、前記法線方向と前記配向規制方向とが９０度以上異なる２辺に沿ってＬ字状に設けられる、前記（１）に記載の液晶表示装置。
（３）赤色、緑色、青色のそれぞれに対応する前記（１）又は（２）に記載の液晶表示装置を有する、液晶プロジェクター。
【符号の説明】
【００５２】
１００    液晶表示装置
１０２    上基板
１０４    表面遮光層
１０６    画素電極
１０８    配向膜
１１０    液晶層
１１６    上基板
【図１】
2014041243.tif 000003
【図４】
2014041243.tif 000004
【図５】
2014041243.tif 000005
【図２】
2014041243.tif 000006
【図３】
2014041243.tif 000007